(57)【特許請求の範囲】
【請求項１】
物品を収納する施解錠可能な複数の収納部と、ある収納部に対し、その収納部に収納する物品とその収納部を利用可能な利用者とを互いに関連付けて設定する設定手段とを有する物品保管装置であって、
前記物品の予め定められたセキュリティレベルと、前記利用者の予め定められたセキュリティレベルとを記憶する記憶手段を含み、
前記設定手段は、設定対象の前記物品のセキュリティレベルまたは設定対象の前記利用者のセキュリティレベルに基づいて、前記収納部に対し設定可能な物品および／または利用者を決定することを特徴とする物品保管装置。
【請求項２】
前記設定手段は、設定対象の前記物品のセキュリティレベルが、設定対象の前記利用者のセキュリティレベル以下であるとき設定可能と判断することを特徴とする請求項１記載の物品保管装置。
【請求項３】
物品を収納する施解錠可能な複数の収納部と、所定の収納部に対し、その収納部に収納する物品とその収納部を利用可能な利用者とを互いに関連付けて設定する設定手段とを有する物品保管装置であって、
前記物品の予め定められたセキュリティレベルと、前記利用者の予め定められたセキュリティレベルとを記憶する記憶手段を含み、
前記設定手段は、前記利用者を設定するときに、前記収納部に対して物品が設定済みの場合は、設定済みの物品のセキュリティレベル以上のセキュリティレベルを有する利用者を候補として出力する利用者候補出力手段を含むことを特徴とする物品保管装置。
【請求項４】
物品を収納する施解錠可能な複数の収納部と、所定の収納部に対し、その収納部に収納する物品とその収納部を利用可能な利用者とを互いに関連付けて設定する設定手段とを有する物品保管装置であって、
前記物品の予め定められたセキュリティレベルと、前記利用者の予め定められたセキュリティレベルとを記憶する記憶手段を含み、
前記設定手段は、前記物品を設定するときに、前記収納部に対して利用者が設定済みの場合は、設定対象の物品のセキュリティレベルが、設定済みの利用者のセキュリティレベル以下であるとき、その物品の設定を可能とする手段を有することを特徴とする物品保管装置。
【請求項５】
前記設定手段は、
前記物品を設定するときに、前記収納部に対して利用者が設定済みの場合は、設定対象の物品のセキュリティレベルが、設定済みの利用者のセキュリティレベルよりも高い場合に、警告を出力する警告出力手段を含むことを特徴とする請求項４記載の物品保管装置。
【請求項６】
物品を収納する施解錠可能な複数の収納部と、所定の収納部に対し、その収納部に収納する物品とその収納部を利用可能な利用者とを互いに関連付けて設定する設定手段とを有する物品保管装置であって、
前記物品の予め定められたセキュリティレベルと、前記利用者の予め定められたセキュリティレベルとを記憶する記憶手段を含み、
前記設定手段は、前記物品を設定するときに、前記収納部に対して利用者が設定済みの場合は、設定済みの利用者のセキュリティレベル以下のセキュリティレベルを有する物品を候補として出力する物品候補出力手段を含むことを特徴とする物品保管装置。
【請求項７】
物品を収納する施解錠可能な複数の収納部と、所定の収納部に対し、その収納部に収納する物品とその収納部を利用可能な利用者とを互いに関連付けて設定する設定手段とを有する物品保管装置であって、
前記物品の予め定められたセキュリティレベルと、前記利用者の予め定められたセキュリティレベルとを記憶する記憶手段を含み、
前記設定手段は、前記利用者を設定するときに、前記収納部に対して物品が設定済みの場合は、設定対象の利用者のセキュリティレベルが、設定済みの物品のセキュリティレベル以上であるとき、その利用者の設定を可能とする手段を有することを特徴とする物品保管装置。
【請求項８】
前記設定手段は、
前記利用者を設定するときに、前記収納部に対して物品が設定済みの場合は、設定対象の利用者のセキュリティレベルが、設定済みの物品のセキュリティレベルよりも低い場合に、警告を出力する警告出力手段を含むことを特徴とする請求項７記載の物品保管装置。
【請求項９】
物品を収納する施解錠可能な複数の収納部と、所定の物品に対し、その物品を収納する収納部と、その物品を取り扱い可能な利用者とを互いに関連付けて設定する設定手段とを有する物品保管装置であって、
前記物品の予め定められたセキュリティレベルと、前記利用者の予め定められたセキュリティレベルとを記憶する記憶手段と、
各収納部に、当該収納部に設定済みの物品または／および利用者のセキュリティレベルに基づいて当該収納部のセキュリティレベルを設定する手段とを含み、
前記設定手段は、
物品を設定したときに、前記設定済みの物品のセキュリティレベル以上のセキュリティレベルを有する利用者を候補として出力する利用者候補出力手段と、
前記設定済みの物品のセキュリティレベル以上のセキュリティレベルを有する収納部を、前記所定の収納部の候補として出力する収納部候補出力手段とを含むことを特徴とする物品保管装置。
【発明の詳細な説明】
【技術分野】
【０００１】
この発明は、物品を保管する物品保管装置に関する。
【背景技術】
【０００２】
従来から、オフィス等に設置され、複数の従業員によって共用される書類や電子機器等（以下、「物品」とする）を保管するための物品保管装置が知られている。特許文献１には、施解錠可能に設けられ、物品を収納するための収納部を複数有した収納ユニットと、各収納部の施解錠を制御する制御ユニットとを備える物品保管装置が開示されている。物品保管装置では、収納部ごとに、施解錠操作を行う権限（以下、「操作権限」という）を有する利用者が設定されている。
【先行技術文献】
【特許文献】
【０００３】
【特許文献１】特開２００６−３１６５２５号公報
【発明の概要】
【発明が解決しようとする課題】
【０００４】
収納部に対する操作権限の設定は、物品保管装置に利用者を設定（登録）する際に行われる。より詳しくは、利用者の設定では、タッチパネル等の操作により利用者の名称や種別（役職（管理者か一般行員か等））が入力されるとともに、当該利用者が操作権限を有する収納部が入力される。一方、各収納部には、当該収納部に収納（保管）される物品が設定される。この物品の設定では、タッチパネル等の操作により当該収納部に収納される物品の名称等が入力される。すなわち、収納部に対する操作権限の設定は、収納部に対する物品の設定とは無関係に行われている。
【０００５】
言い換えれば、収納部に対する操作権限の設定に際し、当該収納部に収納される物品が全く考慮されていない。そのため、ある収納部に対し、重要度の高い物品と低い権限度合いしか有さない利用者とが設定される等、収納部に対して設定される利用者の権限度合いと物品の重要度との間に不整合が生じるおそれがある。
そこで、この発明は、収納部に設定される利用者および物品の不整合を防止することができる物品保管装置を提供することを目的とする。
【課題を解決するための手段】
【０００６】
請求項１記載の発明は、物品を収納する施解錠可能な複数の収納部（Ｂ３〜Ｂ９）と、ある収納部に対し、その収納部に収納する物品とその収納部を利用可能な利用者とを互いに関連付けて設定する設定手段（１０５）とを有する物品保管装置（１）であって、前記物品の予め定められたセキュリティレベルと、前記利用者の予め定められたセキュリティレベルとを記憶する記憶手段（１０４）を含み、前記設定手段は、設定対象の前記物品のセキュリティレベルまたは設定対象の前記利用者のセキュリティレベルに基づいて、前記収納部に対し設定可能な物品および／または利用者を決定することを特徴とする物品保管装置である。
【０００７】
なお、括弧内の英数字は、後述の実施形態における対応構成要素等を表すが、特許請求の範囲を実施形態に限定する趣旨ではない。以下、この項において同じ。
この構成によれば、ある収納部に対し、その収納部に収納する物品とその収納部を利用可能な利用者とを互いに関連付けて予め設定することができる。すなわち、物品保管装置に収納する可能性のある物品のセキュリティレベル（重要度）と、物品保管装置を利用する可能性のある利用者のセキュリティレベル（権限度合い）とが予め設定されて記憶手段に記憶される。この収納部に設定可能な物品および／または利用者が、収納部に収納される物品のセキュリティレベルまたは収納部を利用すべき利用者のセキュリティレベルに基づいて決定される。したがって、物品の重要度および利用者の権限度合いを整合させつつ、収納部に対して物品および利用者を設定することができる。これにより、収納部に設定される利用者および物品の不整合を防止することができる。
【０００８】
なお、この明細書において、「収納部を利用可能な利用者」とは、利用者の認証によりその収納部に対する施解錠操作が可能となる利用者であって、当該収納部からの物品の取り出しや当該収納部への物品の収納が許容された利用者のことをいう。
また、請求項２に記載のように、前記設定手段は、設定対象の前記物品のセキュリティレベルが、設定対象の前記利用者のセキュリティレベル以下であるとき設定可能と判断するものであってもよい。
【０００９】
この構成によれば、設定対象の物品の重要度が、設定対象の利用者の権限度合いと同程度かまたは設定対象の利用者の権限度合いよりも低いとき、収納部に対する物品および利用者の設定が可能になる。したがって、収納部に収納される物品の重要度よりも低い権限度合いしか有さない利用者が当該収納部に設定されることを防止することができる。
請求項３記載の発明は、物品を収納する施解錠可能な複数の収納部（Ｂ３〜Ｂ９）と、所定の収納部に対し、その収納部に収納する物品とその収納部を利用可能な利用者とを互いに関連付けて設定する設定手段（１０５）とを有する物品保管装置（１）であって、前記物品の予め定められたセキュリティレベルと、前記利用者の予め定められたセキュリティレベルとを記憶する記憶手段（１０４）を含み、前記設定手段は、前記利用者を設定するときに、前記収納部に対して物品が設定済みの場合は、設定済みの物品のセキュリティレベル以上のセキュリティレベルを有する利用者を候補として出力する利用者候補出力手段を含むことを特徴とする物品保管装置である。
【００１０】
この構成によれば、所定の収納部に対し利用者を設定するときに、収納部に設定済みの物品のセキュリティレベル以上のセキュリティレベルを有する利用者が、候補として出力される。候補として出力される利用者の中からしか、利用者を選択することはできないので、収納部に設定済みの物品のセキュリティレベル未満のセキュリティレベルしか有さない利用者を選択することはできない。したがって、物品の重要度および利用者の権限度合いを整合させつつ、収納部に対して物品および利用者を設定することができる。これにより、収納部に設定される利用者および物品の不整合を防止することができる。
【００１１】
請求項４記載の発明は、物品を収納する施解錠可能な複数の収納部（Ｂ３〜Ｂ９）と、所定の収納部に対し、その収納部に収納する物品とその収納部を利用可能な利用者とを互いに関連付けて設定する設定手段（１０５）とを有する物品保管装置（１）であって、前記物品の予め定められたセキュリティレベルと、前記利用者の予め定められたセキュリティレベルとを記憶する記憶手段（１０４）を含み、前記設定手段は、前記物品を設定するときに、前記収納部に対して利用者が設定済みの場合は、設定対象の物品のセキュリティレベルが、設定済みの利用者のセキュリティレベル以下であるとき、その物品の設定を可能とする手段（１０５）を有することを特徴とする物品保管装置である。
【００１２】
この構成によれば、所定の収納部に対し物品を設定するときに、設定対象のセキュリティレベルが収納部に設定済みの利用者のセキュリティレベル以下であるとき、その物品の設定が可能になる。すなわち、物品の重要度が、利用者の権限度合いと同程度かまたは利用者の権限度合いよりも低いとき、収納部に対する物品および利用者の設定が可能になる。これにより、物品の重要度および利用者の権限度合いを整合させつつ、収納部に対して物品および利用者を設定することができ、ゆえに、収納部に設定される利用者および物品の不整合を防止することができる。
【００１３】
請求項５に記載のように、前記設定手段は、前記物品を設定するときに、前記収納部に対して利用者が設定済みの場合は、設定対象の物品のセキュリティレベルが、設定済みの利用者のセキュリティレベルよりも高い場合に、警告を出力する警告出力手段を含むものであってもよい。
この構成によれば、所定の収納部に対し物品を設定する際に、対象の物品のセキュリティレベルが収納部に設定済みの利用者のセキュリティレベルよりも高いときに、警告が出力される。物品および利用者のセキュリティレベルがかかる関係にある場合、収納部に設定される利用者の権限度合いよりも、当該収納部に収納される物品の重要度が高くなる。この場合、収納部に設定される物品の重要度と利用者の権限度合いとの間に不整合が生じているので、警告の出力により、かかる不整合が生じている旨を操作者に対して報知することができる。
【００１４】
また、警告出力手段による警報の出力にも拘わらず、物品の設定操作が続行された場合は、当該収納部に設定済みの利用者のうち、設定対象のセキュリティレベル（重要度）よりも低いセキュリティレベル（権限度合い）を有する利用者を抹消する抹消手段（１０５）を備えていてもよい。この場合、物品の重要度に釣り合う利用者を再設定することにより、物品の重要度と利用者の権限度合いとの間の不整合を解消させることができる。
【００１５】
請求項６記載の発明は、物品を収納する施解錠可能な複数の収納部（Ｂ３〜Ｂ９）と、所定の収納部に対し、その収納部に収納する物品とその収納部を利用可能な利用者とを互いに関連付けて設定する設定手段（１０５）とを有する物品保管装置（１）であって、前記物品の予め定められたセキュリティレベルと、前記利用者の予め定められたセキュリティレベルとを記憶する記憶手段（１０４）を含み、前記設定手段は、前記物品を設定するときに、前記収納部に対して利用者が設定済みの場合は、設定済みの利用者のセキュリティレベル以下のセキュリティレベルを有する物品を候補として出力する物品候補出力手段（１０５）を含むことを特徴とする物品保管装置である。
【００１６】
この構成によれば、所定の収納部に対し物品を設定するときに、収納部に設定済みの利用者のセキュリティレベル以下のセキュリティレベルを有する物品が、候補として出力される。候補として出力される物品の中からしか、物品を選択することはできないので、収納部に設定済みの利用者のセキュリティレベルよりも高いセキュリティレベルを有する物品を選択することはできない。したがって、物品の重要度および利用者の権限度合いを整合させつつ、収納部に対して物品および利用者を設定することができる。これにより、収納部に設定される利用者および物品の不整合を防止することができる。
【００１７】
請求項７記載の発明は、物品を収納する施解錠可能な複数の収納部（Ｂ３〜Ｂ９）と、所定の収納部に対し、その収納部に収納する物品とその収納部を利用可能な利用者とを互いに関連付けて設定する設定手段（１０５）とを有する物品保管装置（１）であって、前記物品の予め定められたセキュリティレベルと、前記利用者の予め定められたセキュリティレベルとを記憶する記憶手段（１０４）を含み、前記設定手段は、前記利用者を設定するときに、前記収納部に対して物品が設定済みの場合は、設定対象の利用者のセキュリティレベルが、設定済みの物品のセキュリティレベル以上であるとき、その利用者の設定を可能とする手段（１０５）を有することを特徴とする物品保管装置である。
【００１８】
この構成によれば、所定の収納部に対し利用者を設定するときに、対象の利用者のセキュリティレベルが収納部に設定済みの物品のセキュリティレベル以上であるとき、その利用者の設定が可能になる。すなわち、利用者の権限度合いが、物品の重要度と同程度かまたは物品の重要度よりも高いとき、収納部に対する物品および利用者の設定が可能になる。これにより、物品の重要度および利用者の権限度合いを整合させつつ、収納部に対して物品および利用者を設定することができ、ゆえに、収納部に設定される利用者および物品の不整合を防止することができる。
【００１９】
請求項８に記載のように、前記設定手段は、前記利用者を設定するときに、前記収納部に対して物品が設定済みの場合は、設定対象の利用者のセキュリティレベルが、設定済みの物品のセキュリティレベルよりも低い場合に、警告を出力する警告出力手段（１０５）を含むものであってもよい。
この構成によれば、所定の収納部に対し利用者を設定する際に、対象の利用者のセキュリティレベルが収納部に設定済みの物品のセキュリティレベルよりも低いときに、警告が出力される。物品および利用者のセキュリティレベルがかかる関係にある場合、収納部に設定される利用者の権限度合いよりも、当該収納部に収納される物品の重要度が高くなる。この場合、収納部に設定される物品の重要度と利用者の権限度合いとの間に不整合が生じているので、警告の出力により、かかる不整合が生じている旨を操作者に対して報知することができる。
【００２０】
また、警告出力手段による警報の出力にも拘わらず、利用者の設定操作が続行された場合は、当該収納部に設定済みの物品のうち、設定対象の利用者のセキュリティレベル（権限度合い）よりも高いセキュリティレベル（重要度）を有する物品を抹消する抹消手段（１０５）を備えていてもよい。この場合、利用者の権限度合いに釣り合う物品を再設定することにより、物品の重要度と利用者の権限度合いとの間の不整合を解消させることができる。
【００２１】
請求項９記載の発明は、物品を収納する施解錠可能な複数の収納部（Ｂ３〜Ｂ９）と、所定の物品に対し、その物品を収納する収納部と、その物品を取り扱い可能な利用者とを互いに関連付けて設定する設定手段（１０５）とを有する物品保管装置（１）であって、前記物品の予め定められたセキュリティレベルと、前記利用者の予め定められたセキュリティレベルとを記憶する記憶手段（１０４）と、各収納部に、当該収納部に既に設定されている物品または／および利用者のセキュリティレベルに基づいて当該収納部のセキュリティレベルを設定する手段（１０５）とを含み、前記設定手段は、物品を設定したときに、前記設定済みの物品のセキュリティレベル以上のセキュリティレベルを有する利用者を候補として出力する利用者候補出力手段（１０５）と、前記設定済みの物品のセキュリティレベル以上のセキュリティレベルを有する収納部を、前記所定の収納部の候補として出力する収納部候補出力手段（１０５）とを含むことを特徴とする物品保管装置である。
【００２２】
この構成によれば、設定対象の物品のセキュリティレベル以上のセキュリティレベルを有する利用者が、候補として出力される。また、設定対象の物品のセキュリティレベル以上のセキュリティレベルを有する収納部が、候補として出力される。候補として出力される利用者および収納部の中からしか、それぞれ利用者および収納部を選択することはできないので、設定対象の物品のセキュリティレベル未満のセキュリティレベルしか有さない利用者を選択することはできず、また、収納部に設定対象の物品のセキュリティレベル未満のセキュリティレベルしか有さない収納部を選択することはできない。したがって、物品の重要度および利用者の権限度合いを整合させつつ、設定対象の物品に対して利用者および収納部を設定することができる。これにより、収納部に設定される利用者および物品の不整合を防止することができる。
【図面の簡単な説明】
【００２３】
【図１】本発明の一実施形態にかかる物品保管装置の外観正面図である。
【図２】図１に示す鍵管理ユニットの外観図である。
【図３】図１に示す物品保管装置の電気的構成を示すブロック図である。
【図４】図３に示す利用者管理テーブルの一例を示す図である。
【図５】図３に示す物品管理テーブルの一例を示す図である。
【図６】図３に示す収納部管理テーブルの一例を示す図である。
【図７】図１に示す鍵管理ユニットの電気的構成を示すブロック図である。
【図８】図１に示す通帳管理ユニットの電気的構成を示すブロック図である。
【図９】図１に示す物品保管装置が実行する処理手順を示すフローチャートである
【図１０】鍵取出処理の処理手順を示すフローチャートである。
【図１１】鍵位置案内画面の一例を示す図である。
【図１２】収納部に対して物品および利用者を、設定方法１を用いて設定する際の処理手順を示すフローチャートである。
【図１３】設定方法１によって設定を行う際にタッチパネルＬＣＤに表示される画面の一例を示す図である（その１）。
【図１４】設定方法１によって設定を行う際にタッチパネルＬＣＤに表示される画面の一例を示す図である（その２）。
【図１５】設定方法１によって設定を行う際にタッチパネルＬＣＤに表示される画面の一例を示す図である（その３）。
【図１６】設定方法１による設定中にタッチパネルＬＣＤに表示される注意表示画面の一例を示す図である。
【図１７】設定方法１による設定中にタッチパネルＬＣＤに表示される利用者候補表示画面の一例を示す図である。
【図１８】収納部に対して物品および利用者を、設定方法２を用いて設定する際の処理手順を示すフローチャートである。
【図１９】設定方法２によって設定を行う際にタッチパネルＬＣＤに表示される画面の一例を示す図である（その１）。
【図２０】設定方法２によって設定を行う際にタッチパネルＬＣＤに表示される画面の一例を示す図である（その２）。
【図２１】設定方法２による設定中にタッチパネルＬＣＤに表示される収納部候補表示画面の一例を示す図である。
【図２２】収納部に対する物品および利用者の設定による収納部管理テーブルの内容の変化を示す図である。
【図２３】この発明の他の実施形態にかかる設定方法（設定方法３）を用いて、収納部に対して物品および利用者を設定する際の処理手順を示すフローチャートである。
【図２４】設定方法３による設定中にタッチパネルＬＣＤに表示される注意表示画面の一例を示す図である。
【図２５】設定方法３による設定中にタッチパネルＬＣＤに表示される物品候補表示画面の一例を示す図である。
【発明を実施するための形態】
【００２４】
以下では、この発明の実施の形態を、添付図面を参照して詳細に説明する。
図１は、本発明の一実施形態にかかる物品保管装置１の外観正面図である。物品保管装置１は、操作制御ユニット１０と、鍵管理ユニット２１と、通帳管理ユニット２２と、一般ユニット２３，２４とを備え、たとえば銀行等の金融機関に設置されている。このように、物品保管装置１は、ユニット１０，２１〜２４を複数組み合わせて構成されており、各ユニット２１〜２４では、保管対象の物品の種類（性質）に応じた物品管理が行われている。
【００２５】
一般ユニット２３，２４は、物品を収納する収納部Ｂ３〜Ｂ９と、各収納部Ｂ３〜Ｂ９の扉を施解錠する施解錠部とを有する収納ユニットである。具体的には、一般ユニット２３は、４つの収納部Ｂ３〜Ｂ６と、各収納部Ｂ３〜Ｂ６の扉を施解錠する４つの施解錠部とを備え、ファイルや束通帳等の物品を保管する重要物管理ユニットである。また、一般ユニット２４は、３つの収納部Ｂ７〜Ｂ９と、各収納部Ｂ７〜Ｂ９の扉を施解錠する３つの施解錠部とを備え、融資書類等のとくに重要な物品を保管する耐火ユニットである。
【００２６】
一方、鍵管理ユニット２１は、物品を収納する収納部Ｂ１，Ｂ２と、各収納部Ｂ１，Ｂ２を施解錠する施解錠部と、各収納部Ｂ１，Ｂ２に収納された物品を管理する管理部とを備えている。また、通帳管理ユニット２２は、物品を収納する収納部Ｂ１０〜Ｂ１２と、各収納部Ｂ１０〜Ｂ１２を施解錠する施解錠部と、各収納部Ｂ１０〜Ｂ１２に収納された物品を管理する管理部とを備えている。
【００２７】
鍵管理ユニット２１は、複数の鍵の持ち出しや返却を個別に管理する管理収納ユニットである。具体的には、鍵管理ユニット２１は、２つの収納部Ｂ１，Ｂ２のうち収納部Ｂ２内に複数の鍵を保管する。
図２は、鍵管理ユニット２１の外観図である。図２を参照して、鍵管理ユニット２１の具体的な構成について説明しておく。
【００２８】
鍵管理ユニット２１の収納部Ｂ２は、扉体２１５と、扉体２１５を施解錠する扉施錠部２１２と、収納部Ｂ２内部に設けられた鍵ホルダ部２１３とを有している。
扉体２１５は収納部Ｂ２を閉塞するための部材である。扉体２１５を、鍵管理ユニット２１の前面に対して約９０度をなす姿勢まで開放させた後、鍵管理ユニット２１の奥方向へとスライド移動させることによって、収納部Ｂ２と鍵ホルダ部２１３との間に形成された収納スペース内に収納することができる。これにより、たとえば、金融機関の営業時間中に扉体２１５を常時開放させておくような運用を行う場合であっても、開放状態の扉体２１５が邪魔になることがない。
【００２９】
扉施錠部２１２は、扉体２１５をロックするためのロック板を、モータを用いて上下移動させることによって、扉体２１５の施解錠を行う。
鍵ホルダ部２１３は、複数の鍵を個別に施解錠する個別施解錠部である。具体的には、
鍵ホルダ部２１３は、複数の鍵ホルダＡ１〜Ａ３０を備えている。各鍵ホルダＡ１〜Ａ３０は、鍵ホルダ部２１３に挿入されており、鍵ホルダ部２１３によって抜き出し不能に施錠される。鍵ホルダ部２１３は、操作制御ユニット１０からの制御信号（指示）に従って、鍵ホルダＡ１〜Ａ３０を個別に施錠または解錠する。
【００３０】
なお、各鍵ホルダＡ１〜Ａ３０の上部には、各鍵ホルダＡ１〜Ａ３０の状態を利用者に報知するためのランプＲが１対１に対応して設けられている。具体的には、各ランプＲは、対応する鍵ホルダＡ１〜Ａ３０が施錠されている場合には消灯され、対応する鍵ホルダＡ１〜Ａ３０が解錠されている場合には緑色に照光（点灯）され、鍵ホルダ部２１３から鍵ホルダＡ１〜Ａ３０が抜き出されている場合には赤色に照光（点灯）されるようになっている。
【００３１】
鍵ホルダ部２１３は、非常時用ダイヤルロック２１６を備えている。この非常時用ダイヤルロック２１６は、故障時や停電時等に鍵ホルダＡ１〜Ａ３０を手動で解錠する場合に用いられる。
再び、図１を参照して、通帳管理ユニット２２について説明する。通帳管理ユニット２２は、収納されているバラ通帳（以下、単に「通帳」とする）を計数するための通帳計数部を備えた管理収納ユニットである。通帳管理ユニット２２は、３つの収納部Ｂ１０〜Ｂ１２を有している。収納部Ｂ１０および収納部Ｂ１１内には、それぞれ複数の通帳が保管されている。
【００３２】
各収納部Ｂ１０，Ｂ１１は、４つの個別収納部に区分けされており、個別収納部毎に異なる種類の通帳を収納することができるようになっている。また、通帳計数部は、各個別収納部に収納された通帳を個別に計数する。
操作制御ユニット１０は、一般ユニット２３，２４および管理収納ユニット２１，２２の施解錠等を制御する制御ユニットである。利用者は、物品保管装置１から物品を持ち出す場合には、この操作制御ユニット１０に設けられたタッチパネルＬＣＤ（Liquid Crystal Display）１０２を操作して、目的の物品が保管されているユニット２１，２２，２３，２４を解錠する。
【００３３】
物品保管装置１は、利用者が鍵管理ユニット２１から鍵を持ち出す操作を行う場合、複数の鍵ホルダＡ１〜Ａ３０のうち利用者が解除権限を有する鍵ホルダの位置を示した鍵位置案内画面（図１１参照）を、タッチパネルＬＣＤ１０２に対して表示する。また、物品保管装置１は、利用者が通帳管理ユニット２２から通帳を持ち出す操作を行う場合、通帳管理ユニット２２の収納部Ｂ１０内の４つの個別収納部のうち利用者が取り出そうとしている通帳が収納されている個別収納部の位置を示した通帳位置案内画面を、タッチパネルＬＣＤ１０２に対して表示する。
【００３４】
このように、タッチパネルＬＣＤ１０２に鍵位置案内画面や通帳位置案内画面を表示することによって、利用者は、目的とする鍵や通帳が、鍵管理ユニット２１や通帳管理ユニット２２のどの位置に収納されているかを容易に把握することができる。
しかも、図１に示すように、物品保管装置１では、鍵管理ユニット２１や通帳管理ユニット２２が操作制御ユニット１０に隣接する位置に配置されている。したがって、物品保管装置１では、鍵管理ユニット２１や通帳管理ユニット２２が、タッチパネルＬＣＤ１０２の近傍に位置している。そのため、利用者は、クッチパネルＬＣＤ１０２に表示された鍵位置案内画面を目視しながら、鍵ホルダ部２１３に対して鍵を持ち出す／返却することができる。これにより、鍵の持ち出し（取り出し）操作／返却操作を、より一層容易に行うことができる。
【００３５】
さらに、物品保管装置１では、左右方向に開閉するドア型の扉体２１５を有する鍵管理ユニット２１を操作制御ユニット１０と同じ高さに配置し、前後方向に開閉する引き出し型の扉体を有する通帳管理ユニット２２を操作制御ユニット１０よりも低い位置に配置している。これにより、鍵ホルダ部２１３や個別収納部の視認性を高めることができる。
なお、以下の説明において、床面直上に設置される通帳管理ユニット２２および一般ユニット２４を下段ユニットと言い換え、また、下段ユニットの上方に設置される操作制御ユニット１０、鍵管理ユニット２１および一般ユニット２３を上段ユニットと言い換える場合がある。
【００３６】
後述するように、物品保管装置１では、各収納部に、セキュリティレベルが付されている。また、物品保管装置１には、当該物品保管装置１に収納すべき物品に関するデータ、および当該物品保管装置１を利用する利用者に関するデータが予め登録されている。
また、一般ユニット２３，２４の各収納部Ｂ３〜Ｂ９には、当該収納部に収納される物品と、当該収納部を利用可能な利用者（当該収納部に対して操作権限を有する利用者）とが設定されている。各収納部Ｂ３〜Ｂ９では、利用者として設定されている者以外は、当該収納部に対する操作権限がなく、当該収納部に対して物品出入処理（後述する）を行うことはできない。
【００３７】
図３は、物品保管装置１の電気的構成を示すブロック図である。なお、図３には、物品保管装置１の特徴を説明するために必要な構成要素のみを示している。
物品保管装置１は、操作制御ユニット１０と、被制御ユニット２０とを備えている。ここで、被制御ユニット２０とは、鍵管理ユニット２１、通帳管理ユニット２２および一般ユニット２３，２４を含む趣旨である。
【００３８】
操作制御ユニット１０は、カードリーダ１０１と、タッチパネルＬＣＤ１０２と、記憶部１０４と、制御部（設定手段、警告出力手段、抹消手段、物品候補出力手段、利用者候補出力手段、収納部候補出力手段）１０５とを備えている。
カードリーダ１０１（図１も併せて参照）は、磁気カードからＩＤ(Identification）を読み取る読取装置である。タッチパネルＬＣＤ１０２は、各種の操作画面等を表示したり、指先等でタッチされた情報を制御部１０５へ伝えたりする表示操作部である。
【００３９】
記憶部１０４は、不揮発性メモリやハードディスクドライブといった記憶デバイスによって構成されている。記憶部１０４には、被制御ユニット管理情報１０４ａ、利用者管理テーブル１０４ｂ、物品管理テーブル１０４ｃ、および収納部管理テーブル１０４ｄが記憶されている。被制御ユニット管理情報１０４ａは、被制御ユニット２０である鍵管理ユニット２１、通帳管理ユニット２２および一般ユニット２３，２４に関する情報である。被制御ユニット管理情報１０４ａは、各ユニット２１，２２，２３，２４の位置情報、鍵ホルダ部２１３の状態情報、通帳計数部２２２による計数結果情報等を含んでいる。
【００４０】
図４は、利用者管理テーブル１０４ｂの一例を示す図である。利用者管理テーブル１０４ｂには、物品保管装置１に登録済みの利用者のデータが格納されている。具体的には、利用者管理テーブル１０４ｂには、利用者名および利用者のセキュリティレベルが、当該利用者のＩＤに対応付けて格納されている。利用者のＩＤとは、利用者に配布されたカード（磁気カードやＩＣカード等）のカードＩＤである。利用者のセキュリティレベルとは、利用者の役職および／または職務に応じて、当該利用者に付与された権限度合いをいう。この実施形態では、利用者のセキュリティレベルは「１」、「２」、「３」および「４」の４段階に区分けされており、「１」のセキュリティレベルが最も低く、「４」のセキュリティレベルが最も高い。図４では、物品保管装置１に登録済みの利用者の一例として、「Ａ」、「Ｂ」、「Ｃ」、「Ｄ」および「Ｅ」の５名を挙げているが、実際にはより多くの利用者を物品保管装置１に登録できることは言うまでもない。
【００４１】
この実施形態では、利用者「Ａ」には「０００１」のカードＩＤを有するカードが配布されており、この利用者「Ａ」のセキュリティレベルは「１」である。また、利用者「Ｂ」には「０００２」のカードＩＤを有するカードが配布されており、この利用者「Ｂ」のセキュリティレベルは「２」である。利用者「Ｃ」には「０００３」のカードＩＤを有するカードが配布されており、この利用者「Ｃ」のセキュリティレベルは「３」である。また、利用者「Ｄ」には「０００４」のカードＩＤを有するカードが配布されており、この利用者「Ｄ」のセキュリティレベルは「３」である。さらに、利用者「Ｅ」には「０００５」のカードＩＤを有するカードが配布されており、この利用者「Ｅ」のセキュリティレベルは「４」である。
【００４２】
図５は、物品管理テーブル１０４ｃの一例を示す図である。物品管理テーブル１０４ｃには、物品保管装置１に登録済みの物品のデータが格納されている。具体的には、物品管理テーブル１０４ｃには、物品名および物品の種類が、当該物品のＩＤに対応付けて格納されている。物品の種類とは、ここでは物品の大分類のことを指す。物品のセキュリティレベルとは、物品に付与された重要度をいう。この実施形態では、物品のセキュリティレベルは「１」、「２」、「３」および「４」の４段階に区分けされており、「１」のセキュリティレベルが最も低く、「４」のセキュリティレベルが最も高い。図５では、物品保管装置１に登録済みの物品の一例として、「α」、「β」、「γ」および「δ」の４つを挙げているが、実際には、より多くの物品を物品保管装置１に登録できることは言うまでもない。
【００４３】
この実施形態では、物品「α」は大分類「文具」の一種であり、この物品「α」のセキュリティレベルは「２」である。また、物品「β」は大分類「通帳」の一種であり、この物品「β」のセキュリティレベルは「３」である。物品「γ」は大分類「現金」の一種であり、この物品「γ」のセキュリティレベルは「３」である。さらに、物品「δ」は大分類「証書」の一種であり、この物品「δ」のセキュリティレベルは「４」である。
【００４４】
図６は、収納部管理テーブル１０４ｄの一例を示す図である。収納部管理テーブル１０４ｄには、物品保管装置１に設けられた複数の収納部に関し、収納部に収納される物品、収納部を利用可能な利用者、および当該収納部のセキュリティレベルが、収納部の識別情報（たとえば「ア」〜「エ」）に対応付けて記憶されている。
収納部のセキュリティレベルは、この実施形態では、「１」、「２」、「３」および「４」の４段階に区分けされている。「１」のセキュリティレベルが最も低く、「４」のセキュリティレベルが最も高い。収納部のセキュリティレベルは、当該収納部に収納される物品のうち最も高いセキュリティレベル、または当該収納部を利用可能な利用者のうち最も低いセキュリティレベルに自動更新される。しかしながら、収納部に設定される物品・利用者が設定解除されない限り、高いセキュリティレベルから低いセキュリティレベルへ移行（更新）されることはない。また、収納部に物品または利用者が未設定であるときは、セキュリティレベルも未設定である。加えて、収納部に設定される全ての物品・利用者が設定解除されると、セキュリティレベルは未設定になる。
【００４５】
再び、図３を参照して制御部１０５について説明する。
制御部１０５は、被制御ユニット２０からの情報の取得、利用者の認証、タッチパネルＬＣＤ１０２の表示制御、被制御ユニット２０への各種指示等の処理を行う処理部である。制御部１０５は、情報取得部１０５ａ、認証部１０５ｂ、表示制御部１０５ｃ、および指示部１０５ｄを備えている。
【００４６】
情報取得部１０５ａは、被制御ユニット２０から情報を取得する処理部である。たとえば、情報取得部１０５ａは、鍵管理ユニット２１、通帳管理ユニット２２および一般ユニット２３，２４から各ユニット２１〜２４の位置情報や収納部の扉体の開閉状態情報等を取得する。
また、情報取得部１０５ａは、鍵管理ユニット２１から各鍵ホルダＡ１〜Ａ３０の位置情報や状態情報を取得する。なお、各鍵ホルダＡ１〜Ａ３０の位置情報や状態情報は、１つの収納部に収納された複数の物品を識別するための物品識別情報の一例である。状態情報は、各鍵ホルダＡ１〜Ａ３０が施錠状態／解錠状態であるかを示す施解錠情報や各鍵が各鍵ホルダＡ１〜Ａ３０に戻された状態であるか、または取り出された状態であるかを示す有無情報等を含んでいる。さらに、情報取得部１０５ａは、通帳管理ユニット２２から個別収納部の位置情報や通帳計数部２２２による計数結果情報等を取得する。
【００４７】
認証部１０５ｂは、利用者の認証を行う処理部である。具体的には、認証部１０５ｂは、利用者が所持するカードから読み取ったＩＤをカードリーダ１０１から受け取ると、受け取ったＩＤが利用者管理テーブル１０４ｂに記憶されているＩＤと一致するか否かを判定し、両者が一致した場合に、利用者を認証する。
表示制御部１０５ｃは、タッチパネルＬＣＤ１０２に対して各種の画面を表示させる処理部である。たとえば、表示制御部１０５ｃは、認証部１０５ｂによって利用者が認証された場合には、利用者に対して各種の操作を選択させる操作選択画面をタッチパネルＬＣＤ１０２に表示させる。
【００４８】
また、表示制御部１０５ｃは、指示部１０５ｄからの指示に従って、鍵位置案内画面をタッチパネルＬＣＤ１０２に対して表示させる。また、表示制御部１０５ｃは、指示部１０５ｄからの指示に従って、通帳位置案内画面をタッチパネルＬＣＤ１０２に対して表示させる。
指示部１０５ｄは、被制御ユニット２０に含まれる収納部の扉体の施解錠、通帳管理ユニット２２に対する通帳計数処理の実行等を指示する処理部である。
【００４９】
図７は、図１に示す鍵管理ユニット２１の電気的構成を示すブロック図である。
鍵管理ユニット２１は、Ｉ／Ｆ（Interface）部２１１と、扉施錠部２１２と、鍵ホルダ部２１３と、鍵管理部２１４とを備えている。鍵管理部２１４は、鍵ホルダ施解錠指示部２１４ａと、状態検知部２１４ｂと、記憶部２１４ｃと、情報通知部２１４ｄとを備えている。
【００５０】
Ｉ／Ｆ部２１１は、操作制御ユニット１０と通信を行うための処理部である。具体的には、Ｉ／Ｆ部２１１は、操作制御ユニット１０から扉体２１５の解錠指示または施錠指示を受け取ると、受け取った指示に従って扉体２１５の施解錠を行う。
なお、Ｉ／Ｆ部２１１は、鍵管理ユニット２１に対する解錠指示や施錠指示だけでなく、鍵管理ユニット２１の下部に設置された下段ユニット、すなわち、一般ユニット２４に対する解錠指示や施錠指示も受け取る。そして、Ｉ／Ｆ部２１１は、一般ユニット２４に対する扉体の解錠指示または施錠指示を操作制御ユニット１０から受け取ると、受け取った指示に従って一般ユニット２４の扉体の施解錠を行う。なお、操作制御ユニット１０およびＩ／Ｆ部２１１間、隣接する上段ユニットのＩ／Ｆ部間、Ｉ／Ｆ部および下段ユニット間の通信インタフェイスとしては、たとえば、ＲＳ−４８５を用いることができる。
【００５１】
また、Ｉ／Ｆ部２１１は、鍵管理ユニット２１の扉体２１５が解錠または施錠されると、扉体２１５が解錠または施錠された旨を操作制御ユニット１０に対して通知する。Ｉ／Ｆ部２１１は、下段ユニットである一般ユニット２４の扉体が解錠または施錠された場合も同様の処理を行う。
鍵ホルダ部２１３は、複数の鍵を個別に施解錠する。たとえば、鍵ホルダ部２１３は、鍵ホルダＡ１を解錠すべき旨の指示を受けたならば、鍵ホルダＡ１のみを解錠し、鍵ホルダＡ１〜Ａ５を解錠すべき旨の指示を受けたならば、鍵ホルダＡ１〜Ａ５をまとめて解錠する。
【００５２】
鍵管理部２１４は、鍵ホルダ部２１３への施解錠指示、鍵ホルダＡ１〜Ａ３０の状態検知、鍵ホルダ状態情報の記憶、鍵ホルダ状態情報の通知等の処理を行う処理部である。具体的には、鍵管理部２１４は、鍵ホルダ施解錠指示部２１４ａと、状態検知部２１４ｂと、記憶部２１４ｃと、情報通知部２１４ｄとを備えている。なお、鍵管理部２１４および操作制御ユニット１０問の通信は、Ｉ／Ｆ部２１１経由ではなく、ＬＡＮ（Local Area Network）等を用いて直接行われる。
【００５３】
鍵ホルダ施解錠指示部２１４ａは、鍵ホルダ部２１３に対して鍵ホルダＡ１〜Ａ３０の解錠または施錠を指示する処理部である。具体的には、鍵ホルダ施解錠指示部２１４ａは、操作制御ユニット１０の指示部１０５ｄから鍵ホルダＡ１〜Ａ３０の解錠指示または施錠指示を受け取ると、受け取った指示に従って、鍵ホルダ部２１３に対して鍵ホルダＡ１〜Ａ３０の解錠指示または施錠指示を行う。
【００５４】
状態検知部２１４ｂは、鍵ホルダ部２１３の状態検知を行う処理部である。具体的には、状態検知部２１４ｂは、各鍵ホルダＡ１〜Ａ３０の「施錠状態」、「解錠状態」および「持ち出し状態」を検知する。また、状態検知部２１４ｂは、検知した各鍵ホルダの状態を鍵ホルダ状態情報として記憶部２１４ｃに記憶する。
記憶部２１４ｃは、不揮発性メモリやハードディスクドライブといった記憶デバイスによって構成されている。記憶部２１４ｃは、鍵ホルダ状態情報や各鍵ホルダの位置情報等を記憶している。
【００５５】
情報通知部２１４ｄは、記憶部２１４ｃに記憶された情報を操作制御ユニット１０に対して通知する処理部である。具体的には、情報通知部２１４ｄは、記憶部２１４ｃに記憶されている鍵ホルダ状態情報が更新された場合に、更新された鍵ホルダ状態情報を記憶部２１４ｃから取り出して操作制御ユニット１０に対して通知する。また、情報通知部２１４ｄは、物品保管装置１の起動時に、各鍵ホルダ鍵ホルダＡ１〜Ａ３０の位置情報を操作制御ユニット１０に対して通知する。
【００５６】
図８は、通帳管理ユニット２２の電気的構成を示すブロック図である。通帳管理ユニット２２は、扉施錠部２２１と、通帳計数部２２２と、通帳精査部２２３とを備えている。また、通帳精査部２２３は、計数指示部２２３ａと、記憶部２２３ｂと、情報通知部２２３ｃとを備えている。扉施錠部２２１は、通帳管理ユニット２２の扉体の施解錠を行うための施解錠部である。
【００５７】
また、扉施錠部２２１は、通帳管理ユニット２２の上部に設置された一般ユニット２３のＩ／Ｆ部からの指示に従って扉体の施解錠を行う。
通帳計数部２２２は、通帳管理ユニット２２の収納部Ｂ１０（図１参照）に収納された通帳を計数するための機構である。
通帳計数部２２２は、反射型センサ（図示しない）と、この反射型センサが取り付けられたセンサ基板とを含む。反射型センサは、発光素子と受光素子とを備えるセンサである。反射型センサは、センサ基板の稼働に伴って、収納部Ｂ１０内を前後方向に移動する。反射型センサは、センサ基板の稼働に伴って、発光素子が通帳に光を照射し、かつその反射光を受光素子が受光しつつ、収納部Ｂ１０内を、前後方向に移動す（手前側から奥側へと移動す）る。そして、通帳計数部２２２は、受光素子が受光した反射光の受光レベルに基づいて通帳間の凹凸を検出し、この凹凸の数に基づいて通帳の数を決定する。通帳計数部２２２は、かかる通帳計数処理を完了すると、計数処理が完了した旨を情報通知部２２３ｃに通知するとともに、計数結果を次に述べる記憶部２２３ｂに記憶する。
【００５８】
通帳精査部２２３は、通帳計数部２２２に対する通帳の計数指示、計数結果情報の記憶および通知といった処理を行う処理部である。具体的には、通帳精査部２２３は、計数指示部２２３ａと、記憶部２２３ｂと、情報通知部２２３ｃとを備えている。
計数指示部２２３ａは、通帳計数部２２２に対して通帳計数処理の実行を指示する処理部である。具体的には、計数指示部２２３ａは、操作制御ユニット１０の指示部１０５ｄから通帳計数処理の実行指示を受け取った場合に、通帳計数部２２２に対して通帳計数処理の実行を指示する。
【００５９】
記憶部２２３ｂは、不揮発性メモリやハードディスクドライブといった記憶デバイスによって構成されている。記憶部２２３ｂは、通帳計数部２２２による計数結果情報を記憶する。
情報通知部２２３ｃは、記憶部２２３ｂに記憶された計数結果情報を操作制御ユニット１０に対して通知する処理部である。具体的には、情報通知部２２３ｃは、計数処理が完了した旨を通帳計数部２２２から受け取ると、更新前の計数結果および更新後の計数結果を記憶部２２３ｂから取得する。
【００６０】
そして、情報通知部２２３ｃは、更新前後の計数結果を用いて、取り出された通帳数または補充された通帳数を算出し、更新後の計数結果とともに計数結果情報として操作制御ユニット１０へ通知する。たとえば、更新前の計数結果が「１３１」であり、更新後の計数結果が「１２３」である場合、情報通知部２２３ｃは、計数結果情報として取り出された通帳数「８」および更新後の計数結果「１２３」を操作制御ユニット１０へ通知する。
【００６１】
図９は、物品保管装置１が実行する処理手順を示すフローチャートである
物品保管装置１は、電源が投入されると、初期化処理を行う（ステップＳ１）。この初期化処理において、操作制御ユニット１０の情報取得部１０５ａは、被制御ユニット２０の位置情報、鍵ホルダの位置情報、鍵ホルダ状態情報、計数結果情報等を取得し、被制御ユニット管理情報１０４ａとして記憶部１０４へ記憶する。初期化処理を終えると、物品保管装置１では、操作制御ユニット１０の表示制御部１０５ｃが、タッチパネルＬＣＤ１０２に待機画面を表示させる（ステップＳ２）。
【００６２】
次いで、操作制御ユニット１０の認証部１０５ｂは、ログイン操作が行われたか否かを判定する（ステップＳ３）。なお、認証部１０５ｂは、カードリーダ１０１に磁気カードが挿通された場合に、ログイン操作が行われたと判定する。かかる処理において、ログイン操作が行われたと判定した場合（ステップＳ３でＹＥＳ）、ステップＳ４の処理へ移行される。
【００６３】
ステップＳ４において、認証部１０５ｂは、利用者の認証（ユーザ認証）に成功したか否かを判定する。具体的には、認証部１０５ｂは、カードリーダ１０１によって磁気カードから読み取ったＩＤが利用者管理テーブル１０４ｂとして記憶されているＩＤと一致した場合に、利用者の認証に成功したと判定する。なお、認証部１０５ｂは、カードリーダ１０１による認証だけでなく、ＩＤ入力による認証も行ってもよい。
【００６４】
ステップＳ４において利用者の認証に失敗した場合（ステップＳ４でＮＯ）、表示制御部１０５ｃは、認証に失敗した旨をタッチパネルＬＣＤ１０２に対して表示させる（ステップＳ５）。そして、ステップＳ５の処理を終えた場合、またはステップＳ３においてログイン操作が行われていない場合（ステップＳ３でＮＯ）、操作制御ユニット１０は、ステップＳ３以降の処理を繰り返す。
【００６５】
一方、利用者の認証に成功したと判定した場合（ステップＳ４でＹＥＳ）、次いで、表示制御部１０５ｃは、タッチパネルＬＣＤ１０２に操作選択画面（操作メニュー画面）を表示させる（ステップＳ６）。ここで、操作選択画面には、鍵管理ユニット２１、通帳管理ユニット２２および一般ユニット２３，２４に対応するアイコン（操作ボタン）がそれぞれ表示される。
【００６６】
次いで、操作制御ユニット１０の制御部１０５は、操作選択画面において鍵管理ユニット２１に対応するアイコンが選択されたか否かを判定する（ステップＳ７）。かかる処理において、鍵管理ユニット２１に対応するアイコンが選択されたと判定した場合（ステップＳ７でＹＥＳ）、物品保管装置１は、鍵取出処理を実行する（ステップＳ９）。かかる鍵取出処理は、図１０で後述する。
【００６７】
一方、ステップＳ７において鍵管理ユニット２１に対応するアイコンが選択されていないとき（ステップＳ７でＮＯ）、操作制御ユニット１０の制御部１０５は、通帳管理ユニット２２に対応するアイコンが選択されたか否かを判定する（ステップＳ１０）。かかる処理において、通帳管理ユニット２２に対応するアイコンが選択されたと判定した場合（ステップＳ１０でＹＥＳ）、制御部１０５は、さらに、通帳選択操作が行われたか否かを判定する（ステップＳ１１）。
【００６８】
具体的には、操作選択画面において通帳管理ユニット２２に対応するアイコンが選択されると、表示制御部１０５ｃは、タッチパネルＬＣＤ１０２に対して通帳選択画面を表示させる。通帳選択画面は、通帳管理ユニット２２に収納されている複数種類の通帳の中から一の通帳を利用者に選択させるための画面である。そして、この通帳選択画面において一の通帳が選択されると、制御部１０５は、通帳選択操作が行われたと判定する。ステップＳ１１において通帳選択操作が行われたと判定すると（ステップＳ１１でＹＥＳ）、物品保管装置１は、その後、通帳出入処理を実行する（ステップＳ１３）。
【００６９】
一方、ステップＳ１０において通帳管理ユニット２２に対応するアイコンが選択されていないとき（ステップＳ１０でＮＯ）、操作制御ユニット１０の制御部１０５は、一般ユニット２３，２４に対応するアイコンが選択されたか否かを判定する（ステップＳ１４）。かかる処理において、一般ユニット２３，２４に対応するアイコンが選択されたと判定した場合（ステップＳ１４でＹＥＳ）、制御部１０５は、収納部の選択操作が行われたか否かを判定する（ステップＳ１５）。
【００７０】
具体的には、操作選択画面において一般ユニット２３，２４に対応するアイコンが選択されると、表示制御部１０５ｃは、収納部選択画面をタッチパネルＬＣＤ１０２に対して表示させる。収納部選択画面は、一般ユニット２３，２４の収納部Ｂ３〜Ｂ９の中から一の収納部を利用者に選択させるための画面である。そして、この収納部選択画面においてある収納部が利用者によって選択されると、指示部１０５ｄは、収納部管理テーブル１０４ｄを参照し、利用者が、選択された収納部に対して設定されているか否かを判別する（ステップＳ１６）。そして、利用者が収納部管理テーブル１０４ｄに格納されているとき、すなわち、当該利用者が、選択された収納部に利用者として設定されているとき（ステップＳ１６でＹＥＳ）、制御部１０５は、選択操作が行われた収納部Ｂ３〜Ｂ９の物品出入処理を実行する（ステップＳ１７）。
【００７１】
物品出入処理では、まず、操作制御ユニット１０の指示部１０５ｄが、利用者によって選択された収納部Ｂ３〜Ｂ６の解錠指示を行う。ここで、上段ユニットである一般ユニット２３の収納部Ｂ３〜Ｂ６が選択された場合には、指示部１０５ｄは、一般ユニット２３のＩ／Ｆ部に対して収納部の解錠を指示する。これに対し、下段ユニットである一般ユニット２４の収納部が選択された場合には、指示部１０５ｄは、一般ユニット２４の上部に設置された鍵管理ユニット２１のＩ／Ｆ部２１１経由で収納部Ｂ７〜Ｂ９の解錠を指示する。そして、解錠指示を受けた一般ユニット２３，２４は、この指示に従って収納部Ｂ７〜Ｂ９の解錠を行う。
【００７２】
一方、利用者が収納部管理テーブル１０４ｄに格納されていないとき、すなわち、当該利用者が、選択された収納部に利用者として設定されていないとき（ステップＳ１６でＮＯ）、指示部１０５ｄが、利用者によって選択された収納部の解錠指示を行わない。この場合、表示制御部１０５ｃは、収納部選択画面において、「その扉は選択できません」等、当該収納部を選択できない旨のメッセージを表示してもよい。
【００７３】
ステップＳ９の鍵取出処理、ステップＳ１３の通帳出入処理またはステップＳ１７の物品出入処理が、それぞれ終了したとき、またはステップＳ１４において一般ユニット２３，２４に対応するアイコンが選択されていないとき（ステップＳ１４でＮＯ）、操作制御ユニット１０の制御部１０５は、ログアウト操作が行われたか否かを判定する（ステップＳ１８）。かかる処理において、ログアウト操作が行われていないとき（ステップＳ１８でＮＯ）、制御部１０５は、ステップＳ６以降の処理を繰り返す。一方、ログアウト操作が行われたと判定した場合（ステップＳ１８でＹＥＳ）、制御部１０５は、ステップＳ２以降の処理を繰り返す。
【００７４】
図１０は、鍵取出処理の処理手順を示すフローチャートである。鍵取出処理が開始されると、操作制御ユニット１０の指示部１０５ｄは、被制御ユニット管理情報１０４ａを参照し、鍵管理ユニット２１の扉体２１５が開状態であるか否かを判定する（ステップＳ２１）。
鍵管理ユニット２１の扉体２１５が開状態でない場合（ステップＳ２１でＮＯ）、すなわち、鍵管理ユニット２１の扉体２１５が閉状態である場合には、物品保管装置１は、鍵管理ユニット２１の扉体２１５を解錠する（ステップＳ２２）。具体的には、物品保管装置１では、操作制御ユニット１０の指示部１０５ｄが、鍵管理ユニット２１のＩ／Ｆ部２１１に対して扉施錠部２１２の解錠指示を行い、Ｉ／Ｆ部２１１が扉施錠部２１２の解錠を実行する。
【００７５】
ステップＳ２２の処理を終えた場合、あるいは、ステップＳ２１において扉体２１５が開状態である場合（ステップＳ２１でＹＥＳ）、物品保管装置１は、ログイン中の利用者が解錠権限を有する鍵ホルダをまとめて解錠する（ステップＳ２３）。
具体的には、物品保管装置１では、操作制御ユニット１０の指示部１０５ｄが、利用者管理テーブル１０４ｂを参照してログイン中の利用者と対応付けられた権限鍵情報を取得する。次いで、指示部１０５ｄは、取得した権限鍵情報を含んだ鍵ホルダ解錠指示を鍵管理ユニット２１の鍵ホルダ施解錠指示部２１４ａに対して指示する。そして、鍵ホルダ施解錠指示部２１４ａは、鍵ホルダ解錠指示を受け取ると、受け取った鍵ホルダ解錠指示に含まれる権限鍵情報に対応する鍵ホルダを解錠する。
【００７６】
次いで、操作制御ユニット１０の表示制御部１０５ｃは、タッチパネルＬＣＤ１０２に鍵位置案内画面を表示させる（ステップＳ２４）。鍵位置案内画面は、取り出し可能な鍵の位置を利用者に把握させるための画面である。
図１１は、鍵位置案内画面の一例を示す図である。鍵位置案内画面には、鍵ホルダ部２１３に設けられた各鍵ホルダに対応する画像が各鍵ホルダと同様の配置で表示される。そして、鍵位置案内画面には、各鍵ホルダ画像のうち、利用者が取り出すことのできる鍵ホルダに対応する鍵ホルダ画像が他の鍵ホルダ画像とは異なる態様で表示される。
【００７７】
このように、タッチパネルＬＣＤ１０２に鍵位置案内画面が表示されるため、利用者は、鍵管理ユニット２１に保管されている複数の鍵の中から目的とする鍵を容易に取り出すことができる。
しかも、物品保管装置１では、鍵管理ユニット２１が操作制御ユニット１０に隣接しているので、利用者は、鍵ホルダの取り出し操作をタッチパネルＬＣＤ１０２に表示された鍵位置案内画面を目視しながら容易に行うことができる。
【００７８】
図１１に示すように、鍵位置案内画面には、鍵ホルダ画像の他に、ログイン中の利用者の利用者名およびＩＤ、鍵を取り出すべき旨のメッセージ、操作完了時に押下される決定ボタン等が表示される。
再度図１０を参照して、次いで、操作制御ユニット１０の制御部１０５は、利用者が操作を完了したか否かを判定する（ステップＳ２５）。具体的には、制御部１０５は、鍵位置案内画面に表示された決定ボタンが押下された場合に、利用者が操作を完了したと判定する。かかる処理において、利用者が操作を完了したと判定すると（ステップＳ２５でＹＥＳ）、物品保管装置１は、解錠状態の鍵ホルダを施錠する（ステップＳ２６）。
【００７９】
具体的には、鍵位置案内画面に表示された決定ボタンが押下されると、操作制御ユニット１０の指示部１０５ｄは、鍵管理ユニット２１の鍵ホルダ施解錠指示部２１４ａに対して鍵ホルダの施錠を指示する。そして、鍵ホルダ施解錠指示部２１４ａは、鍵ホルダの施錠指示を受け取ると、鍵ホルダを施錠する。
次いで、物品保管装置１では、鍵ホルダ状態情報の更新が行われる（ステップＳ２７）。具体的には、物品保管装置１では、鍵管理ユニット２１の状態検知部２１４ｂが、鍵ホルダ部２１３の状態を検知し、記憶部２１４ｃに記憶された鍵ホルダ状態情報を更新する。次いで、情報通知部２１４ｄは、状態検知部２１４ｂによって更新された鍵ホルダ状態情報を操作制御ユニット１０に対して通知する。そして、操作制御ユニット１０の情報取得部１０５ａは、鍵ホルダ状態情報を取得し、取得した鍵ホルダ状態情報を被制御ユニット管理情報１０４ａとして記憶部１０４に記憶する。かかる処理が終了すると、物品保管装置１は鍵取出処理を終了する。
【００８０】
図１０では、利用者が解錠権限を有する鍵ホルダをまとめて解錠する場合を例に挙げて説明しているが、利用者によって選択された鍵ホルダだけを解錠することとしてもよい。この場合、操作制御ユニット１０の指示部１０５ｄは、鍵位置案内画面において利用者によって押下された鍵ホルダ画像に対応する鍵ホルダの解錠のみを鍵ホルダ施解錠指示部２１４ａに対して指示するようにすればよい。
【００８１】
前述のように、物品保管装置１の各収納部には、当該収納部Ｂ３〜Ｂ９を利用する（利用可能な）利用者と、当該物品保管装置１に収納する（収納すべき）物品とが設定されている。この実施形態では、１回の設定操作で、所定の収納部Ｂ３〜Ｂ９に利用者および物品の双方を設定することができる。かかる設定（登録）方法として、この実施形態では、設定方法１と設定方法２との２つの方法がある。
【００８２】
図１２は、収納部Ｂ３〜Ｂ９に対して物品および利用者を、設定方法１を用いて設定する際の処理手順を示すフローチャートである。図１３〜図１７は、設定方法１によって設定を行う際にタッチパネルＬＣＤ１０２に表示される画面の一例を示す図である。収納部Ｂ３〜Ｂ９に対する物品および利用者の設定は、所定の権限を有する設定操作者（たとえば管理者）によって行われる。
【００８３】
タッチパネルＬＣＤ１０２に前述の操作選択画面（操作メニュー画面）が表示された状態で、係員メニューボタンが選択操作されると、タッチパネルＬＣＤ１０２に、図１３に示す係員操作画面が表示される。この係員操作画面では、通帳や証書等の管理を行うための通帳証書整理ボタン３０１、通帳・証書以外の重要物を管理するためのその他管理物ボタン３０２、利用者や物品の設定を行うための設定メニューボタン３０３、物品保管装置１を電源オフさせるためのシャットダウンボタン３０４、現金を管理するための現金管理ボタン３０５、物品保管装置１の利用履歴等を表示させるための利用履歴ボタン３０６およびエラー発生時にそのエラーの内容を確認するためのエラー確認ボタン３０７が画面上に設けられている。この係員操作画面では、また、画面の隅（図１３では左下隅）に、前の表示画面に戻るための戻るボタン３０８が配置されている。
【００８４】
図１３に示す係員操作画面において、タッチ操作により設定メニューボタン３０３が選択操作されると、タッチパネルＬＣＤ１０２に、図１４に示す設定操作画面が表示される。この設定操作画面では、利用者を登録するための利用者設定ボタン３１１、日時設定や自動起動／シャットダウン設定を行うための電源・日時設定ボタン３１２、通帳を登録するための通帳設定ボタン３１３、外部機器等からデータを取り込むための入力データ取り込みボタン３１４、物品を収納部に設定／削除するための収納部設定ボタン３１５、自動ログアウト時間や自動再起動期間を設定する等のためのその他設定ボタン３１６、および物品を登録等するための物品設定ボタン３１７が画面上に設けられている。この設定操作画面では、また、画面の隅（図１４では左下隅）に、前の表示画面に戻るための戻るボタン３１８が配置されている。
【００８５】
また、図１４に示す設定操作画面において、タッチ操作により収納部設定ボタン３１５が選択操作されると、タッチパネルＬＣＤ１０２に、図１５に示す収納部選択画面が表示される。この収納部選択画面では、物品保管装置１の正面模式図からなる装置画像３２１が描かれている。また、画面の隅（図１５に示す左下隅）に、前の表示画面に戻るための戻るボタン３２２が配置されている。収納部選択画面では、物品保管装置１の正面模式図中の収納部Ｂ３〜Ｂ９の収納部画像がタッチ操作により選択可能になっている。収納部選択画面において一の収納部画像が選択操作され、収納部画像に対応する収納部が選択される（ステップＳ３１）。
【００８６】
次いで、物品が選択される（ステップＳ３２）。具体的には、タッチパネルＬＣＤ１０２に、物品候補の一覧が表示される。この物品候補の一覧には、物品保管装置１に予め登録されている物品、すなわち物品管理テーブル１０４ｃ（図５参照）に格納されている物品が表示される。物品候補の一覧から、設定操作者によって一の物品が選択される。
このとき、制御部１０５（指示部１０５ｄ）は、選択された収納部に既に利用者が設定（登録）済みであるか否か、または設定（登録）済みである場合に、選択された（設定対象の）物品のセキュリティレベルが、その設定（登録）済みの利用者のセキュリティレベル以下であるか否かを調べる（ステップＳ３３）。
【００８７】
そして、選択された収納部に既に利用者が設定済みであり、かつ選択された物品のセキュリティレベルが、その設定済みの利用者のセキュリティレベルよりも高い場合（ステップＳ３３でＹＥＳ）、すなわち、収納部管理テーブル１０４ｄ（図６参照）に、当該収納部に対応付けて格納されている利用者があり、かつ物品のセキュリティレベルが、その利用者のセキュリティレベルよりも高い場合、タッチパネルＬＣＤ１０２に図１６に示す注意表示画面（警告）が表示される（ステップＳ３４）。注意表示画面では、「扉Ｎｏ．○には□□さんが登録されています。このまま物品△△の設定操作を続行すると□□さんの登録が抹消されます。」という、設定操作者に対して注意喚起を促すメッセージが表示されるとともに、「設定を続行しますか？」という、設定操作者に対する問い掛けのメッセージが表示される。
【００８８】
設定操作を続行する場合、設定操作者は、注意表示画面中の「はい」ボタン３３１（図１６参照）を操作する。「はい」ボタン３３１が操作されると（ステップＳ３５でＹＥＳ）、既に設定（登録）済みの利用者のうち、選択された物品のセキュリティレベルより低いセキュリティレベルを有する利用者の登録が抹消される（ステップＳ３６）。言い換えれば、収納部管理テーブル１０４ｄ（図６参照）に、当該収納部に対応付けて格納されている利用者のうち、選択された物品のセキュリティレベルより低いセキュリティレベルを有する利用者が削除される。
【００８９】
その後、選択された物品が、当該収納部に収納される物品として設定される（ステップＳ３７）。言い換えれば、選択された物品が、収納部管理テーブル１０４ｄ（図６参照）に、当該収納部に対応付けて格納される。また、「いいえ」ボタン３３２（図１６参照）が操作されると（ステップＳ３５でＮＯ）、収納部に対する物品および利用者の設定は中止され、タッチパネルＬＣＤ１０２には初期画面が表示される。
【００９０】
一方、選択された収納部に未だ利用者が未設定である場合（ステップＳ３３でＮＯ）、または、選択された収納部に既に利用者が設定済みであっても、選択された物品のセキュリティレベルが、その設定済みの利用者のセキュリティレベル以下である場合（ステップＳ３３でＮＯ）、選択された物品が、当該収納部の物品として設定される（ステップＳ３７）。言い換えれば、選択された物品が、収納部管理テーブル１０４ｄ（図６参照）に、当該収納部に対応付けて格納される。
【００９１】
次いで、制御部１０５は、当該収納部のセキュリティレベルが、収納部に設定済みの物品のうち最も高いセキュリティレベルよりも低い場合（ステップＳ３８でＹＥＳ）、または収納部にセキュリティレベルが未設定である場合、その収納部のセキュリティレベルを、その最も高い物品のセキュリティレベルまで上げる（ステップＳ３９）。そのため、収納部管理テーブル１０４ｄ（図６参照）に記憶されている当該収納部のセキュリティレベルが更新される。
【００９２】
次いで、タッチパネルＬＣＤ１０２に図１７に示す利用者候補表示画面が表示される（ステップＳ４０）。この利用者候補表示画面では、当該収納部のセキュリティレベル以上のセキュリティレベルを有する利用者が候補として表示される。この利用者候補表示画面では、図１７に示すように、利用者候補を表す利用者候補ボタン３４１，３４２，３４３，３４４が設けられる。なお、図１７に示す戻るボタン３４６は、前の表示画面に戻るためのボタンである。
【００９３】
その後、利用者候補ボタン３４１，３４２，３４３，３４４の操作により一または複数の利用者が選択され（ステップＳ４１）、登録ボタン３４５（図１７参照）が操作されると、その選択された利用者が設定される（ステップＳ４２）。言い換えれば、選択された利用者が、収納部管理テーブル１０４ｄ（図６参照）に、当該収納部に対応付けて格納される。これにより、収納部Ｂ３〜Ｂ９に対する物品および利用者の設定が完了し、設定方法１による設定操作が終了する。
【００９４】
この設定方法１によれば、所定の収納部Ｂ３〜Ｂ９に対し利用者を設定するときに、収納部に設定済みの物品のセキュリティレベル以上のセキュリティレベルを有する利用者が、候補として出力される。候補として出力される利用者の中からしか、利用者を選択することはできないので、収納部Ｂ３〜Ｂ９に設定済みの物品のセキュリティレベル未満のセキュリティレベルしか有さない利用者を選択することはできない。したがって、物品の重要度および利用者の権限度合いを整合させつつ、収納部に対して物品および利用者を設定することができる。これにより、収納部Ｂ３〜Ｂ９に設定される利用者および物品の不整合を防止することができる。
【００９５】
また、この設定方法１によれば、所定の収納部Ｂ３〜Ｂ９に対し物品を設定するときに、設定しようとする物品のセキュリティレベルが収納部に設定済みの利用者のセキュリティレベル以下であるとき、その物品を設定することができる。これにより、物品の重要度および利用者の権限度合いを整合させつつ、収納部に対して物品および利用者を設定することができ、ゆえに、収納部に設定される利用者および物品の不整合をより一層防止することができる。
【００９６】
図１８は、収納部Ｂ３〜Ｂ９に対して物品および利用者を、設定方法２を用いて設定する際の処理手順を示すフローチャートである。図１９〜図２１は、設定方法２によって設定を行う際にタッチパネルＬＣＤ１０２に表示される画面の一例を示す図である。
タッチパネルＬＣＤ１０２に設定操作画面（図１４参照）が表示された状態において、タッチ操作により物品設定ボタン３１７が選択操作されると、タッチパネルＬＣＤ１０２に、図１９に示す物品設定画面が表示される。この物品設定画面では、物品保管装置１に登録されている物品の一覧が表示される。物品の一覧では、登録されている各物品について、物品名および物品の管理項目（大分類）が上下に並んで表示される。また、各物品に対応して、編集ボタン３５１および削除ボタン３５２が設けられている。さらに、物品設定画面には、物品を新規登録するための新規登録ボタン３５３、前後にページ移動するためのページ移動操作ボタン３５４、および前のページに戻るための戻るボタン３５５が設けられている。たとえば、普通預金通帳Ａ（管理項目：通帳。図１９に示す物品の一覧の上から２つ目）の編集ボタン３５１が操作されると（ステップＳ５１）、次いで、タッチパネルＬＣＤ１０２に、図２０に示す物品詳細設定画面が表示される。この物品詳細設定画面では、物品名称を手入力するための入力ボタン３６１と、物品名称を物品名候補の中から選択するための物品名選択ボタン３６２と、画像を画像候補の中から選択するための画像選択ボタン３６３と、物品を取り扱うことができる（取り扱うべき）利用者を、利用者候補の中から選択するための利用者選択ボタン３６４と、当該物品を収納する収納部を収納部候補の中から選択するための収納部選択ボタン３６５とが表示されている。
【００９７】
図２０に示す利用者選択ボタン３６４が選択されると、タッチパネルＬＣＤ１０２に利用者候補表示画面（図１７に示す画面と同等の画面）が表示される（ステップＳ５２）。この利用者候補表示画面では、選択された物品のセキュリティレベル以上のセキュリティレベルを有する利用者が候補として表示される。この利用者候補表示画面では、利用者候補を表す利用者候補ボタン（図１７に示す利用者候補ボタン３４１，３４２，３４３，３４４と同等）が設けられる。
【００９８】
その後、利用者候補ボタンの選択操作により一または複数の利用者が選択され（ステップＳ５３）、登録ボタン（図１７の登録ボタン３４５と同等）が操作されると、その選択された利用者が設定される（ステップＳ５４）。言い換えれば、選択された利用者が、収納部管理テーブル１０４ｄ（図６参照）に、当該収納部に対応付けて格納される。
また、図２０に示す収納部選択ボタン３６５が選択されると、タッチパネルＬＣＤ１０２に、図２１に示す収納部候補表示画面が表示される（ステップＳ５５）。この収納部候補表示画面では、選択された物品のセキュリティレベル以上のセキュリティレベルを有する収納部およびセキュリティレベル未設定の収納部が候補として表示される。
【００９９】
具体的には、図２１に示す収納部候補表示画面では、物品保管装置１の正面模式図からなる装置画像３６６が描かれている。この場合、収納部選択画面では、物品保管装置１の正面模式図中の複数の収納部Ｂ３〜Ｂ９のうち、選択された物品のセキュリティレベル以上のセキュリティレベルを有する収納部およびセキュリティレベル未設定の収納部の収納部画像のみが所定色（たとえば白色や背景色等）で表示され、選択可能に設けられている。一方、選択された物品のセキュリティレベル以下のセキュリティレベルしか有さない収納部や鍵管理ユニット２１および操作制御ユニット１０の収納部画像は、所定色とは異なる色（たとえば赤や緑等）で表示され、選択することができない。また、所定色で表示される収納部画像には、当該収納部のセキリティレベルも表示される。このとき、セキュリティレベルが未設定の収納部は、「（未）」と表示される。この場合、各収納部の識別情報（番号等）がセキュリティレベルとともに表示されていてもよい。図２１では、選択された物品のセキュリティレベルが「３」である場合を示している。
【０１００】
その後、タッチパネルＬＣＤ１０２上の収納部画像の選択操作により一の収納部画像が選択され（ステップＳ５６）、登録ボタン３６７（図２１参照）が操作されると、その選択された収納部が設定される（ステップＳ５７）。言い換えれば、設定された収納部に対応付けて、収納部管理テーブル１０４ｄ（図６参照）に、選択された物品および利用者が格納される。これにより、収納部Ｂ３〜Ｂ９に対する物品および利用者の設定が完了し、設定方法２による設定操作が終了する。なお、戻るボタン３６８は、前のページに戻るためのボタンである。
【０１０１】
また、セキュリティレベル未設定の収納部を選択した場合は、収納部の設定（ステップＳ５７）で、その収納部のセキュリティレベルを、選択した物品のセキュリティレベルに設定する。
この設定方法２によれば、選択された物品のセキュリティレベル以上のセキュリティレベルを有する利用者が、候補として出力される。また、選択された物品のセキュリティレベル以上のセキュリティレベルを有する収納部およびセキュリティレベル未設定の収納部が、候補として出力される。候補として出力される利用者および収納部の中からしか、それぞれ利用者および収納部を選択することはできないので、選択された物品のセキュリティレベル未満のセキュリティレベルしか有さない利用者を選択することはできず、また、選択された物品のセキュリティレベル未満のセキュリティレベルに設定されている収納部を選択することはできない。したがって、物品の重要度および利用者の権限度合いを整合させつつ、選択された物品に対して利用者および収納部を設定することができる。これにより、収納部に設定される利用者および物品の不整合を防止することができる。
【０１０２】
なお、この設定方法２において、図１８のフローチャートでは、利用者の設定のための設定操作（ステップＳ５２〜Ｓ５４）を行った後、収納部の設定のための設定操作（ステップＳ５５〜Ｓ５７）を行っているが、収納部の設定のための設定操作を先に行い、その後利用者の設定のための設定操作を行うものであってもよい。
図２２は、収納部に対する物品および利用者の設定による収納部管理テーブル１０４ｄの内容の変化を示す図である。図２２を用いて、実際の設定操作の様子を説明する。図２２では、収納部「ア」、収納部「イ」、収納部「ウ」および収納部「エ」の４つの収納部に注目する。以下では、物品保管装置１に予め登録されている利用者が「Ａ」〜「Ｅ」（図４参照）の５名であり、物品保管装置１に予め登録されている物品が「α」〜「δ」（図５参照）の４つである場合を例に挙げて、図１２〜図２１を適宜参照しつつ説明する。
【０１０３】
図２２（ａ）に示す状態では、収納部「ウ」には物品「γ」と利用者「Ｄ」とが設定されている。収納部「ウ」のセキュリティレベルは「３」に設定されている。また、収納部「エ」には物品「β」と利用者「Ｅ」とが設定されている。収納部「エ」のセキュリティレベルは「４」に設定されている。そして、収納部「ア」および収納部「イ」には、物品および利用者が未設定である。したがって、収納部「ア」および収納部「イ」には、それぞれセキュリティレベルが未設定である。
【０１０４】
図２２（ａ）に示す状態から、収納部「ア」に、物品「α」と利用者「Ｂ」および利用者「Ｃ」とを設定方法１を用いて設定（登録）する場合を検討する。
まず、収納部選択画面（図１５参照）における選択操作によって、収納部「ア」が選択される（ステップＳ３１）。次いで、タッチパネルＬＣＤ１０２に表示された物品候補の一覧から、物品「α」が選択される（ステップＳ３２）。収納部「ア」は利用者が未設定（未登録）であるので（ステップＳ３３でＮＯ）、物品「α」が収納部「ア」に収納される物品として設定される（ステップＳ３７）。そして、未設定であった収納部「ア」のセキュリティレベルが、物品「α」のセキュリティレベルである「２」に更新される（ステップＳ３８，３９）。また、タッチパネルＬＣＤ１０２に、「２」以上のセキュリティレベルを有する利用者、すなわち、利用者「Ｂ」、利用者「Ｃ」、利用者「Ｄ」および利用者「Ｅ」を利用者の候補として表示する利用者候補表示画面（図１７参照）が表示される（ステップＳ４０）。このうち利用者「Ｂ」および利用者「Ｃ」が選択され（ステップＳ４１）、収納部「ア」を利用可能な利用者として設定される（ステップＳ４２）。この設定後における収納部管理テーブル１０４ｄの内容は、図２２（ｂ）に示す状態になる。
【０１０５】
次に、図２２（ｂ）に示す状態から、いずれかの収納部に、物品「β」と利用者「Ｃ」とを設定方法２を用いて設定（登録）する場合を検討する。
物品設定画面（図１９参照）における編集ボタン３５１の操作により、物品「β」が選択される（ステップＳ５１）。この物品「β」のセキュリティレベルは「３」である。次いで、タッチパネルＬＣＤ１０２に、「３」以上のセキュリティレベルを有する利用者、すなわち、利用者「Ｃ」、利用者「Ｄ」および利用者「Ｅ」を利用者の候補として表示する利用者候補表示画面が表示される（ステップＳ５２）。このうち利用者「Ｃ」が選択され（ステップＳ５３）、収納部を利用可能な（物品「β」を取り扱い可能な）利用者として設定される（ステップＳ５４）。
【０１０６】
次いで、タッチパネルＬＣＤ１０２に、「３」以上のセキュリティレベルを有する収納部およびセキュリティレベル未設定の収納部、すなわち、収納部「イ」、収納部「ウ」および収納部「エ」を収納部の候補として表示する収納部候補表示画面（図２１参照）が表示される（ステップＳ５５）。このうち収納部「イ」が選択され（ステップＳ５６）、物品「β」を収納することができる収納部として設定される（ステップＳ５７）。これにより、収納部「イ」に、物品「β」と利用者「Ｃ」とが設定される。この設定後における収納部管理テーブル１０４ｄの内容は、図２２（ｃ）に示す状態になる。
【０１０７】
次に、図２２（ｃ）に示す状態から、収納部「ウ」に、物品「δ」を、設定方法１を用いて設定（登録）する場合を検討する。
まず、収納部選択画面（図１５参照）における選択操作によって、収納部「ウ」が選択される（ステップＳ３１）。次いで、タッチパネルＬＣＤ１０２に表示された物品候補の一覧から、物品「δ」が選択される（ステップＳ３２）。
【０１０８】
収納部「ウ」には既に利用者「Ｄ」が設定済み（物品「γ」が設定済み）であり、かつ物品「δ」のセキュリティレベル「４」が、利用者「Ｄ」のセキュリティレベル「３」よりも高いので（ステップＳ３３でＹＥＳ）、タッチパネルＬＣＤ１０２に注意表示画面（図１６参照）が表示される（ステップＳ３４）。設定操作を続行するために、設定操作者は、注意表示画面中の「はい」ボタン３３１（図１６参照）を操作し（ステップＳ３５でＹＥＳ）、これにより、利用者「Ｄ」の設定（登録）が収納部「ウ」から抹消される（ステップＳ３６）。その後、物品「δ」が収納部「ウ」に収納される物品として追加設定される（ステップＳ３７）。そして、それまで「３」であった収納部「ウ」のセキュリティレベルが、物品「δ」のセキュリティレベルである「４」に更新される（ステップＳ３８，３９）。また、タッチパネルＬＣＤ１０２に、「４」以上のセキュリティレベルを有する利用者「Ｅ」を利用者の候補として表示する利用者候補表示画面（図１７参照）が表示される（ステップＳ４０）。この利用者「Ｅ」が選択され（ステップＳ４１）、収納部「ウ」を利用可能な利用者として設定される（ステップＳ４２）。これにより、収納部「ウ」に、物品「γ」および物品「δ」と利用者「Ｅ」とが設定される。この設定後における収納部管理テーブル１０４ｄの内容は、図２２（ｄ）に示す状態になる。
【０１０９】
次に、図２２（ｄ）に示す状態から、収納部「エ」に、物品「α」を、設定方法１を用いて追加設定（追加登録）する場合を検討する。
まず、収納部選択画面（図１５参照）における選択操作によって、収納部「エ」が選択される（ステップＳ３１）。次いで、タッチパネルＬＣＤ１０２に表示された物品候補の一覧から、物品「α」が選択される（ステップＳ３２）。
【０１１０】
収納部「エ」には既に利用者「Ｅ」が設定済みであるが、物品「α」のセキュリティレベル「２」が、利用者「Ｅ」のセキュリティレベル「４」以下であるので（ステップＳ３３でＮＯ）、物品「α」が収納部「エ」に収納される物品として追加設定される（ステップＳ３７）。このとき、収納部「エ」のセキュリティレベルは「４」のまま変更されない（ステップＳ３８，３９）。また、タッチパネルＬＣＤ１０２に、「４」以上のセキュリティレベルを有する利用者「Ｅ」を利用者の候補として表示する利用者候補表示画面（図１７参照）が表示される（ステップＳ４０）。この利用者「Ｅ」が選択され（ステップＳ４１）、収納部「エ」を利用可能な利用者として設定される（ステップＳ４２）。
【０１１１】
なお、「４」以上のセキュリティレベルを有する利用者は、収納部「エ」の利用者として既に設定されている「Ｅ」だけであるので、ステップＳ４０〜Ｓ４２の処理を省略することも可能である。
なお、図２２（ａ）の状態から図２２（ｂ）の状態への移行、図２２（ｂ）の状態から図２２（ｃ）の状態への移行、図２２（ｃ）の状態から図２２（ｄ）の状態への移行、図２２（ｄ）の状態から図２２（ｅ）の状態への移行は、それぞれ、設定方法１および設定方法２のいずれの方法を用いても実行することができることは言うまでもない。
【０１１２】
以上によりこの実施形態によれば、ある収納部Ｂ３〜Ｂ９に対し、その収納部に収納する物品とその収納部を利用可能な利用者とを互いに関連付けて設定することができる。そのため、１回の設定操作で、所定の収納部Ｂ３〜Ｂ９に利用者および物品の双方を設定することができる。
また、この収納部Ｂ３〜Ｂ９に設定可能な物品および／または利用者が、収納部に収納される物品のセキュリティレベルまたは収納部を利用すべき利用者のセキュリティレベルに基づいて決定される。したがって、物品の重要度および利用者の権限度合いを整合させつつ、収納部に対して物品および利用者を設定することができる。これにより、収納部Ｂ３〜Ｂ９に設定される利用者および物品の不整合を防止することができる。
【０１１３】
より具体的には、物品のセキュリティレベル（重要度）が、利用者のセキュリティレベル（権限度合い）と同程度かまたは利用者のセキュリティレベルよりも低いとき、収納部Ｂ３〜Ｂ９に対する物品および利用者の設定が可能になる。したがって、収納部に収納される物品のセキュリティレベルよりも低いセキュリティレベルしか有さない利用者が当該収納部に設定されることを防止することができる。
【０１１４】
図２３は、この発明の他の実施形態にかかる設定方法３を用いて、収納部Ｂ３〜Ｂ９に対して物品および利用者を設定する際の処理手順を示すフローチャートである。この設定方法３は、設定方法１に代えて利用される。図２４および図２５は、設定方法３によって設定を行う際にタッチパネルＬＣＤ１０２に表示される画面の一例を示す図である。
設定方法１と同様、収納部選択画面（図１５参照）における選択操作により、所定の収納部が選択される（ステップＳ６１）。次いで、利用者が選択される（ステップＳ６２）。具体的には、タッチパネルＬＣＤ１０２に、利用者候補の一覧が表示される。この利用者候補の一覧には、物品保管装置１に予め登録されている利用者、すなわち利用者管理テーブル１０４ｂ（図４参照）に格納されている利用者が表示される。物品候補の一覧から、設定操作者によって一の利用者が選択される。
【０１１５】
このとき、制御部１０５（指示部１０５ｄ）は、選択された収納部に既に物品が設定（登録）済みであるか否か、または設定（登録）済みである場合に、選択された（設定しようとする）利用者のセキュリティレベルが、その設定（登録）済みの物品のセキュリティレベル以上であるか否か（ステップＳ６３）を調べる。
そして、選択された収納部に既に物品が設定済みであり、かつ選択された利用者のセキュリティレベルが、その設定済みの物品のセキュリティレベルより低い場合（ステップＳ６３でＹＥＳ）、すなわち、収納部管理テーブル１０４ｄ（図６参照）に、当該収納部に対応付けて格納されている物品があり、かつ利用者のセキュリティレベルが、その物品のセキュリティレベル以下である場合、タッチパネルＬＣＤ１０２に図２４に示す注意表示画面が表示される（ステップＳ６４）。注意表示画面では、「扉Ｎｏ．○には物品△△が登録されています。このまま□□さんの設定操作を続行すると物品△△の登録が抹消されます。」という、設定操作者に対して注意喚起を促すメッセージが表示されるとともに、「設定を続行しますか？」という、設定操作者に対する問い掛けのメッセージが表示される。
【０１１６】
設定操作を続行する場合、設定操作者は、注意表示画面中の「はい」ボタン４３１（図１６参照）を操作する。「はい」ボタン４３１が操作されると（ステップＳ６５でＹＥＳ）、既に設定済みの物品の設定（登録）が抹消される（ステップＳ６６）。言い換えれば、収納部管理テーブル１０４ｄ（図６参照）に、当該収納部に対応付けて格納されている物品が削除される。
【０１１７】
その後、選択された利用者が、当該収納部を利用可能な利用者として設定される（ステップＳ６７）。言い換えれば、選択された物品が、収納部管理テーブル１０４ｄ（図６参照）に、当該収納部に対応付けて格納される。また、「いいえ」ボタン４３２（図２４参照）が操作されると（ステップＳ６５でＮＯ）、収納部に対する物品および利用者の設定は中止され、タッチパネルＬＣＤ１０２には初期画面が表示される。
【０１１８】
一方、選択された収納部に未だ物品が未設定である場合（ステップＳ６３でＮＯ）、または、選択された収納部に既に物品が設定済みであっても、選択された利用者のセキュリティレベルが、その設定済みの物品のセキュリティレベル以上である場合（ステップＳ６３でＮＯ）、選択された利用者が、当該収納部を利用することができる利用者として設定される（ステップＳ６７）。言い換えれば、選択された利用者が、収納部管理テーブル１０４ｄ（図６参照）に、当該収納部に対応付けて格納される。
【０１１９】
次いで、制御部１０５は、当該収納部のセキュリティレベルが、収納部に設定済みの利用者のうち最も低いセキュリティレベルよりも高い場合、または収納部にセキュリティレベルが未設定である場合（ステップＳ６８）、その収納部のセキュリティレベルを、その最も低い利用者のセキュリティレベルまで下げる（ステップＳ６９）。そのため、収納部管理テーブル１０４ｄ（図６参照）に記憶されている当該収納部のセキュリティレベルが更新される。
【０１２０】
次いで、タッチパネルＬＣＤ１０２に図２５に示す物品候補表示画面が表示される（ステップＳ７０）。この物品候補表示画面では、当該収納部のセキュリティレベル以下のセキュリティレベルを有する物品が候補として表示される。この物品候補表示画面では、図２５に示すように、物品候補を表す物品候補ボタン４４１，４４２，４４３，４４４が設けられる。なお、図２５に示す戻るボタン４４６は、前の表示画面に戻るためのボタンである。
【０１２１】
その後、物品候補ボタン４４１，４４２，４４３，４４４の操作により一または複数の物品が選択され（ステップＳ７１）、登録ボタン４４５（図２５参照）が操作されると、その選択された利用者が設定される（ステップＳ７２）。言い換えれば、選択された利用者が、収納部管理テーブル１０４ｄ（図６参照）に、当該収納部に対応付けて格納される。これにより、収納部Ｂ３〜Ｂ９に対する物品および利用者の設定が完了し、設定方法３による設定操作が終了する。
【０１２２】
以上によりこの実施形態によれば、所定の収納部Ｂ３〜Ｂ９に対し物品を設定するときに、収納部に設定済みの利用者のセキュリティレベル以下のセキュリティレベルを有する物品が、候補として出力される。候補として出力される物品の中からしか、物品を選択することはできないので、収納部に設定済みの利用者のセキュリティレベルよりも高いセキュリティレベルを有する物品を選択することはできない。したがって、物品の重要度および利用者の権限度合いを整合させつつ、収納部に対して物品および利用者を設定することができる。これにより、収納部に設定される利用者および物品の不整合を防止することができる。
【０１２３】
また、所定の収納部Ｂ３〜Ｂ９に対し利用者を設定するときに、設定しようとする利用者のセキュリティレベルが収納部に設定済みの物品のセキュリティレベル以上であるとき、その利用者の設定が可能になる。これにより、物品の重要度および利用者の権限度合いを整合させつつ、収納部に対して物品および利用者を設定することができ、ゆえに、収納部に設定される利用者および物品の不整合を防止することができる。
【０１２４】
以上、この発明の２つの実施形態を例に挙げて説明したが、この発明は他の形態で実施することもできる。
たとえば、収納部の選択において、当該利用者が利用者として設定されている収納部だけを収納部選択画面に選択可能としてもよい。
前述の各実施形態では、ユーザ認証において、カードリーダ１０１による認証だけを行う場合を例に挙げて説明したが、タッチパネルＬＣＤ１０２を用いて利用者に自分のＩＤを入力させてもよい。かかる場合には、認証部１０５ｂは、利用者によって入力されたＩＤをタッチパネルＬＣＤ１０２から受け取り、受け取ったＩＤが利用者管理テーブル１０４ｂに記憶されているＩＤと一致するか否かを判定すればよい、
前述の各実施形態では、磁気読み取り式のカードリーダ１０１を備えるとして説明したが、物品保管装置１には、カードリーダ１０１に代えて、またはカードリーダ１０１とともに、非接触ＩＣ対応の非接触式のカードが備えられていてもよい。利用者が所持するカードとしてＩＣカードを用いることができる。
【０１２５】
また、本実施形態にかかる物品保管装置１は、通帳管理ユニット２２に収納されている通帳の数が予め定める数未満の場合に、通帳を補充すべき旨をタッチパネルＬＣＤ１０２に表示するようにしてもよい。さらに、このとき補充用の束通帳がどの収納部に収納されているかを表示してもよい
管理収納ユニットは、鍵管理ユニット２１や通帳管理ユニット２２に限られない。また、管理収納ユニットは、光学式センサや重量センサを用いて収納されている棒金の個数や金額を計数する棒金管理ユニットであってもよい。
【０１２６】
また、管理収納ユニットは、入金時（収納時）に金種を識別することによって、収納されている貨幣の金額を計数する入金管理ユニットであってもよく、出金時（取り出し時）金種を識別することによって、収納されている貨幣の金額を計数する出金管理ユニットであってもよい。また、管理収納ユニットは、入金管理ユニットおよび出金管理ユニットの双方の機能を兼ね備えた入出金管理ユニットであってもよい。
【０１２７】
その他、特許請求の範囲に記載された事項の範囲で種々の設計変更を施すことが可能である。
【符号の説明】
【０１２８】
１  物品保管装置
１０４  記憶部
１０５  制御部（設定手段、警告出力手段、抹消手段、物品候補出力手段、利用者候補出力手段、収納部候補出力手段）
Ｂ３〜Ｂ９  収納部
【図１】
0005480059.tif 000002
【図２】
0005480059.tif 000003
【図３】
0005480059.tif 000004
【図４】
0005480059.tif 000005
【図５】
0005480059.tif 000006
【図６】
0005480059.tif 000007
【図７】
0005480059.tif 000008
【図８】
0005480059.tif 000009
【図９】
0005480059.tif 000010
【図１０】
0005480059.tif 000011
【図１１】
0005480059.tif 000012
【図１２】
0005480059.tif 000013
【図１３】
0005480059.tif 000014
【図１４】
0005480059.tif 000015
【図１５】
0005480059.tif 000016
【図１６】
0005480059.tif 000017
【図１７】
0005480059.tif 000018
【図１８】
0005480059.tif 000019
【図１９】
0005480059.tif 000020
【図２０】
0005480059.tif 000021
【図２１】
0005480059.tif 000022
【図２２】
0005480059.tif 000023
【図２３】
0005480059.tif 000024
【図２４】
0005480059.tif 000025
【図２５】
0005480059.tif 000026